(57)【要約】  本発明は、ユーザが引き金を引かない限り、意図しない（地面へのライフルの落下、任意の場所への衝突など）発射を防止することによってユーザの安全性を向上させ、ライフルが破損することを防止する引き金（１）に関する。安全装置は、安全ばね（９）に抗して作用するロック（８）を備えている。
2012520440.tif 000002
【特許請求の範囲】
【請求項１】
第１のエクストラクタ（２）、第２のエクストラクタ（３）および第３のエクストラクタ（４）を備えている引き金（１）であって、
上記第１のエクストラクタ（２）は、最終的に発射するまでの間に上記引き金から生じる推進力を伝達することによって発射をもたらし、
上記第２のエクストラクタ（３）は、上記第１のエクストラクタ（２）が当該第２のエクストラクタ（３）のケーシングに入り込んでおり、上記第１のエクストラクタ（２）に対してばねによって接続されており、推進力を与えることによって上記第１のエクストラクタ（２）のＡ方向における回転を可能にし、
上記第３のエクストラクタ（４）は、上記第２のエクストラクタ（３）に推進力を与えることによって、上記第２のエクストラクタ（３）のＢ方向における回転を可能にし、
上記引き金（１）はロック（８）および安全ばね（９）によって特徴付けられており、
上記ロックは、上記第３のエクストラクタの突出部（６）のケーシング（７）に入り込んでおり、銃が地面に落下するか、任意の場所に衝突するときに、ユーザの要求なしに引き金（５）が押される前に、ライフルが発射することを防止し、
上記安全ばね（９）は、上記ロック（８）およびクランプ（５）と接続されている、引き金。
【発明の詳細な説明】
【技術分野】
【０００１】
本発明は、ユーザによって引き金が引かれない限り、ユーザの要求しない（地面へのライフルの落下、任意の場所への衝突など）使用を防止することによってユーザの安全性をより向上させ、ライフルが破損することを防止する引き金（１）に関する。
【背景技術】
【０００２】
現在、存在している銃のすべてのように、ユーザの安全性は、照準つきのエアライフルにおいて非常な重要性がある。ライフルの構造が組み立てられた後に、ライフルは、ライフルの落下を意味するライフルの転倒、任意の場所への衝突、または衝撃の結果として破裂すべきではない。さもなければ、ユーザの安全性がもたらされ得ず、ライフルが破損する。種々の開発が、この種の理由に対する必要性を満たすために従来技術においてなされている。これらの開発としては以下のものが挙げられる。
米国特許出願公開第２００８／０７８２８４号
トルコ特許文献第２００６  ０４４  ５４号
国際特許出願第ＰＣＴ／ＴＲ２００８／０００１４１号
公知の技術における実施に基づいて、要求なしのライフルの破裂は、発射がなされる前に、引き金の仕組みにおけるエクストラクタをケーシングに入れるという理屈を用いることによって抑制されている。しかし、問題の処理における上記エクストラクタおよびケーシングは、それらの数が十分ではなく、上記引き金に対して近い位置にないので、何らユーザの安全性をもたらし得ない。また、上記引き金を固定するロックは問題の上記文献には存在していない。
【０００３】
上述のように、ユーザの安全性を向上させる引き金を有している照準つきのエアライフルは、公知の技術における実施にはまったく言及されていない。
【発明の概要】
【０００４】
本発明の目的は、ライフルがユーザの要求しない発射を行うことを、ロックおよびスプリング自身を介して防止することによって、より向上されたユーザの安全性をもたらす引き金を提供することである。
【０００５】
本発明の他の目的は、ライフルがユーザの要求しない発射を行うことを、ロックおよびスプリング自身を介して防止することによって、ライフルを破損させない引き金を実現することである。
【図面の簡単な説明】
【０００６】
【図１】引き金が組み立てられた後の、発射前の配置の図である。
【図２】発射された後の引き金の配置を示す図である。
【図３】銃の落下または衝突の結果として起こる引き金の配置の図である。
【図４】引き金のロックの図である。
【図５】引き金の固定ばねの図である。
【発明を実施するための形態】
【０００７】
本発明の目的を達成するために作製された引き金は、添付の図面に示されている。
図１は、引き金が組み立てられた後の、発射前の配置の図である。
図２は、発射された後の引き金の配置を示す図である。
図３は、銃の落下または衝突の結果として起こる引き金の配置の図である。
図４は、引き金のロックの図である。
図５は、引き金の固定ばねの図である。
【０００８】
これらの図面に基づいて、本発明の目的である引き金のロックを有している照準つきのエアライフルを構成している部品は、以下のように番号が振られている：
１．引き金群
２．第１のエクストラクタ
３．第２のエクストラクタ
４．第３のエクストラクタ
５．引き金
６．突出部
７．ケーシング
８．ロック
９．ばね。
【０００９】
本発明の目的である引き金群（１）は、第１のエクストラクタ（２）、第２のエクストラクタ（３）、第３のエクストラクタ（４）、ロック（８）および安全ばね（９）を備えており、
上記第１のエクストラクタ（２）は、発射の間に、上記引き金から生じる推進力によって最終的に移動することによってライフルが発射することを可能にし、
上記第２のエクストラクタ（３）は、上記第１のエクストラクタ（２）が当該第２のエクストラクタ（３）のケーシングに入り込んでおり、上記第１のエクストラクタ（２）に対してばねによって接続されており、推進力を与えることによって、上記第１のエクストラクタ（２）のＡ方向における回転を可能にし、
上記第３のエクストラクタ（４）は、上記第２のエクストラクタ（３）に対して推進力を与えることによって、上記第２のエクストラクタ（３）のＢ方向における回転を可能にし、
上記ロック（８）は、上記第３のエクストラクタの突出部（６）のケーシング（７）に入り込んでおり、銃が地面に落下するか、任意の場所に衝突するときに引き金（５）が押される前に、ユーザの要求なしにライフルが発射することを防止し、
上記安全ばね（９）は、圧力を加えることによって上記第２のエクストラクタ（３）のエネルギーに耐える上記ロック（８）、およびクランプ（５）に接続されている。
【００１０】
本発明の目的である上記引き金は、ライフルが落下したときに引き金ロック（８）が得るエネルギーを用いて引き金固定ばね（９）を押し返して、上記第３のエクストラクタ（４）が（Ｃ）方向に回転することを防止することによって固定する。上記第３のクストラクタ（４）が回転できないので、これに接続されている他のエクストラクタが方向（Ａ）および（Ｂ）に回転できない。したがって、引き金の引き易さ（falling hardness）が最高度に設定されていても、要求なしの銃の破裂は解消される。
【００１１】
本発明の目的である引き金群（１）は、この基本的な概念の周辺まで、発展させるべき種々の実施を利用可能である。本発明は、本明細書に説明されている例に限定されず、特許請求の範囲に述べられていることが必須に限定される。
【図１】
2012520440.tif 000003
【図２】
2012520440.tif 000004
【図３】
2012520440.tif 000005
【図４】
2012520440.tif 000006
【図５】
2012520440.tif 000007
【国際調査報告】
2012520440.tif 000008
2012520440.tif 000009